(57)【要約】【課題】空気を返送する機能を有するとともに、ハニカム体の持つ耐熱性、強度を充分に発揮でき安定して利用可能な集熱レシーバを提供する。【解決手段】集熱レシーバ１０Ａは、吸収体２０Ａと、吸収体２０Ａを保持するハウジング３０Ａとを有する。ハウジング３０Ａには、第１の接続孔２５および第２の接続孔２７が設けられており、第１の接続孔２５および第２の接続孔２７は、互いに逆方向の空気が流通するようになっている。吸収体２０Ａは、互いに空隙４４により隔てられた複数のハニカム体２１と、各ハニカム体２１における受光面２１１と、受光面２１１とは反対側の内側端面２１２とを隔離する隔壁２８とを有する。第１の接続孔２５から延びる流路３３は、ハニカム体２１を経由して受光面２１１と連通し、第２の接続孔２７は、空隙４４を経由して受光面２１１と連通する。【選択図】図３
2016011810.tif 000002
【特許請求の範囲】
【請求項１】
太陽光を吸収する受光面を有する吸収体と、
前記吸収体を保持するとともに、第１の接続孔および第２の接続孔を備えたハウジングと、からなる集熱レシーバであって、
前記吸収体は、前記受光面側が開放する空隙により互いに隔てられた複数のハニカム体と、前記各ハニカム体が貫通する隔壁とを有し、
前記第１の接続孔は、前記ハニカム体を経由して前記受光面と連通し、前記第２の接続孔は、前記空隙を経由して前記受光面と連通する集熱レシーバ。
【請求項２】
請求項１に記載の集熱レシーバにおいて、
前記第２の接続孔は、前記吸収体の側面および、前記空隙を経由して前記受光面と連通することを特徴とする請求項１に集熱レシーバ。
【請求項３】
請求項１または請求項２に記載の集熱レシーバにおいて、
前記ハニカム体は、セラミックよりなる集熱レシーバ。
【請求項４】
請求項３に記載の集熱レシーバにおいて、
前記ハニカム体は、アルミナ、コージェライト、炭化硅素、チタン酸アルミニウムより選択される１または２以上のセラミックよりなる集熱レシーバ。
【発明の詳細な説明】
【技術分野】
【０００１】
本発明は、太陽光を受けて熱に変換する集熱レシーバに関する。
【背景技術】
【０００２】
太陽熱、地熱などを利用した自然エネルギーは、天然資源を枯渇させることがない上に、大気汚染、地球温暖化、廃棄物等の問題がなく、核燃料、化石燃料に替わるエネルギー源として期待されている。中でも太陽光を利用した太陽熱発電は、エネルギーの量が豊富であり、地熱エネルギーのように偏在せず、どこでも得られるのでその利用が期待されている。
太陽熱発電には、太陽の追尾機能を有するミラーを用い太陽光をタワーに備えられた集熱レシーバに集光させるタワー型の太陽熱発電がある。タワー型の太陽熱発電では、多くのミラーからの光を１カ所に集めるので高い温度が得られ、エネルギー効率が高い特徴がある。
【０００３】
タワー型の太陽熱発電に用いられる集熱レシーバは、高い温度を得るために、材質、構造など様々な工夫がされている。
特許文献１には、集熱レシーバを通過して温度上昇した空気を熱交換し、温度の低くなった空気を一部又は全部を、分岐管を用いて集熱レシーバの前面に返送し、再度吸引させるようにした集熱レシーバの構造が提案されている。
【先行技術文献】
【特許文献】
【０００４】
【特許文献１】米国特許第５４８３９５０号明細書
【発明の概要】
【発明が解決しようとする課題】
【０００５】
特許文献１に記載の集熱レシーバは、吸収体の中に分岐管から集熱レシーバの受光部表面まで温度の低くなった空気の返送に用いられるパイプが備えられている。しかしながら、温度の低くなった空気を吸収体（absorber）の前面まで返送するパイプは、長い区間の空気の輸送に用い、受光部表面まで到達するため耐熱性と強度とを同時に備える必要がある。この様な形状の制約から、空気の返送に用いるパイプは、高強度でかつ耐熱性を備えた材質を用いる必要がある。
しかしながら、強度を維持するためには緻密で肉厚の素材が望ましいが、一方熱衝撃を緩和するには薄肉で多孔質の素材が好ましい。さらに、耐熱性の高い素材が必ずしも強度が高い素材ではなく、どのような空気の返送のためのパイプを備えるかが、集熱レシーバを設計する上で重要となる。すなわち、空気を返送するパイプを備えることにより、集熱レシーバの耐熱性、強度を低下させる原因となってしまう。
【０００６】
本発明では、前記課題を鑑み、空気を返送する機能を有するとともに、ハニカム体の持つ耐熱性、強度を充分に発揮でき安定して利用可能な集熱レシーバを提供することを目的とする。
【課題を解決するための手段】
【０００７】
前記課題を解決するための本発明の集熱レシーバは、太陽光を吸収する受光面を有する吸収体と、前記吸収体を保持するとともに、第１の接続孔および第２の接続孔を備えたハウジングと、からなる集熱レシーバであって、前記吸収体は、前記受光面側が開放する空隙により互いに隔てられた複数のハニカム体と、前記各ハニカム体が貫通する隔壁とを有
し、前記第１の接続孔は、前記ハニカム体を経由して前記受光面と連通し、前記第２の接続孔は、前記空隙を経由して前記受光面と連通する。
【０００８】
本発明の集熱レシーバによれば、太陽光を吸収する吸収体と、吸収体を保持するハウジングとからなるので、吸収体により吸収された熱を、ハウジング内に取り込んで外部に漏らさないようにすることができる。
ハウジングには、第１の接続孔および第２の接続孔が設けられており、第１の接続孔および第２の接続孔は、互いに逆方向の空気が流通するようになっている。このため、一方の接続孔から昇温された空気を吸引して、他方の接続孔から使用後の空気を返送することができる。
【０００９】
また、吸収体は、第１の接続孔から延びる流路は、ハニカム体を経由して受光面と連通し、第２の接続孔は、空隙を経由して受光面と連通する。
このため、受光して昇温した空気は外側から吸引され、ハニカム体を通って隔壁より奧に送られる。また、使用後の空気は第２の接続孔から隣接するハニカム体の間の空隙に送られ、空隙を通って返送される。隔壁は、受光面側の前方空間と、反対側の後方空間とを隔てる。隔壁により隔てられるので、充分に冷え切っていない返送された空気は吸収体の受光面を経由して充分に再加熱されてから発電機側へ吸引される。このため空気は充分に暖められることができ、熱効率を高めることができる。
また、吸収体は、ハニカム体のみからなり、ハニカム体間の空隙を利用して受光面に充分に冷え切っていない空気を返送することができる。このため、特別の部材を利用することなく空気を返送する機能を有するハニカム体のみからなる吸収体を構成することができるので、形状、材質などの制約を受けることなく集熱レシーバを構成することができる。
なお、空気の流れは一方向に限定されず、逆にハニカム体から充分に冷え切っていない空気を返送し、空隙から暖められた空気を吸引することも可能である。
これにより、集熱レシーバは、空気を返送する機能を有するとともに、ハニカム体の持つ耐熱性、強度を充分に発揮でき安定して利用することができる。
【００１０】
さらに、本発明の集熱レシーバは、以下の態様であることが望ましい。
（１）前記第２の接続孔は、前記吸収体の側面および、前記空隙を経由して前記受光面と連通する。
本発明の集熱レシーバは、空隙と第２の接続孔とが、隔壁よりもハニカム体の側面すなわち隔壁と受光面との間の中間部を経由して連通している。空隙につながる前方空間が、吸収体の側方に引き出されるので、ハニカム体の側面の全面を利用することができ、空隙が狭くても効率良く受光面へ空気を返送することができる。
【００１１】
（２）前記ハニカム体は、セラミックよりなる。
本発明の集熱レシーバは、ハニカム体がセラミックからなるので、耐熱性、耐蝕性を備え、高強度である。このため、高温環境下あるいは腐食性環境下など過酷な環境下でも使用することができる。
【００１２】
（３）前記ハニカム体は、アルミナ、コージェライト、炭化硅素、チタン酸アルミニウムより選択される１または２以上のセラミックよりなる。
本発明の集熱レシーバは、アルミナ、コージェライト、炭化珪素、チタン酸アルミニウム等のセラミックからなるので、耐熱性、耐食性を備え、高強度な集熱レシーバを提供することができる。
【発明の効果】
【００１３】
本発明によれば、集熱レシーバを構成する吸収体は、受光面側が開放する空隙により互いに隔てられた複数のハニカム体と、前記各ハニカム体が貫通する隔壁とを有する。
そして、第１の接続孔から延びる流路は、ハニカム体を経由して受光面と連通し、第２の接続孔は、前記空隙を経由して前記受光面と連通する。これにより、集熱レシーバは、空気を返送する機能を有するとともに、ハニカム体の持つ耐熱性、強度を充分に発揮でき安定して利用することができる。
【図面の簡単な説明】
【００１４】
【図１】本発明に係る集熱レシーバを用いた発電装置の全体図である。
【図２】（Ａ）はレシーバアレイの一部の正面図、（Ｂ）は（Ａ）中Ｂ−Ｂ位置の断面図である。
【図３】本発明に係る第１実施形態の集熱レシーバの断面図である。
【図４】図３中ＩＶ方向から見た正面図である。
【図５】本発明に係る第２実施形態の集熱レシーバの断面図である。
【図６】本発明に係る第３実施形態の集熱レシーバの断面図である。
【図７】本発明に係る第４実施形態の集熱レシーバの断面図である。
【図８】図７中ＶＩＩＩ方向から見た正面図である。
【発明を実施するための形態】
【００１５】
本発明の集熱レシーバについて説明する。
【００１６】
本発明の集熱レシーバは、太陽光を吸収する受光面を有する吸収体と、前記吸収体を保持するとともに、第１の接続孔および第２の接続孔を備えたハウジングと、からなる集熱レシーバであって、前記吸収体は、前記受光面側が開放する空隙により互いに隔てられた複数のハニカム体と、前記各ハニカム体が貫通する隔壁とを有し、前記第１の接続孔は、前記ハニカム体を経由して前記受光面と連通し、前記第２の接続孔は、前記空隙を経由して前記受光面と連通する。
【００１７】
本発明の集熱レシーバによれば、太陽光を吸収する吸収体と、吸収体を保持するハウジングとからなるので、吸収体により吸収された熱を、ハウジング内に取り込んで外部に漏らさないようにすることができる。
ハウジングには、第１の接続孔および第２の接続孔が設けられており、第１の接続孔および第２の接続孔は、互いに逆方向の空気が流通するようになっている。このため、一方の接続孔から昇温された空気を吸引して、他方の接続孔から使用後の空気を返送することができる。
【００１８】
また、吸収体は、第１の接続孔から延びる流路は、ハニカム体を経由して受光面と連通し、第２の接続孔は、空隙を経由して受光面と連通する。
このため、受光して昇温した空気は外側から吸引され、ハニカム体を通って隔壁の内側に送られる。また、使用後の空気は第２の接続孔から隣接するハニカム体の間の空隙に送られ、空隙を通って返送される。隔壁は、受光面側すなわち吸収体の前方空間と、反対側すなわち吸収体の後方空間とを隔てる。隔壁により隔てられるので、充分に冷え切っていない返送された空気は吸収体の受光面を経由して充分に再加熱されてから発電機側へ吸引される。このため空気は充分に暖められることができ、熱効率を高めることができる。
また、吸収体は、ハニカム体のみからなり、ハニカム体間の空隙を利用して受光面に充分に冷え切っていない空気を返送することができる。このため、特別の部材を利用することなく空気を返送する機能を有するハニカム体のみからなる吸収体を構成することができるので、形状、材質などの制約を受けることなく集熱レシーバを構成することができる。
なお、空気の流れは一方向に限定されず、逆にハニカム体から充分に冷え切っていない空気を返送し、空隙から暖められた空気を吸引することも可能である。
これにより、集熱レシーバは、空気を返送する機能を有するとともに、ハニカム体の持つ耐熱性、強度を充分に発揮でき安定して利用することができる。
【００１９】
さらに、本発明の集熱レシーバは、以下の態様であることが望ましい。
（１）前記第２の接続孔は、前記吸収体の側面および、前記空隙を経由して前記受光面と連通する。
本発明の集熱レシーバは、空隙と第２の接続孔とが、隔壁よりもハニカム体の側面すなわち隔壁と受光面との間を経由して連通している。空隙につながる前方空間が、吸収体の側方に引き出されるので、ハニカム体の側面の全面を利用することができ、空隙が狭くても効率良く受光面へ空気を返送することができる。
【００２０】
（２）前記ハニカム体は、セラミックよりなる。
本発明の集熱レシーバは、ハニカム体がセラミックからなるので、耐熱性、耐蝕性を備え、高強度である。このため、高温環境下あるいは腐食性環境下など過酷な環境下でも使用することができる。
【００２１】
（３）前記ハニカム体は、アルミナ、コージェライト、炭化硅素、チタン酸アルミニウムより選択される１または２以上のセラミックよりなる。
本発明の集熱レシーバは、アルミナ、コージェライト、炭化珪素、チタン酸アルミニウム等のセラミックからなるので、耐熱性、耐食性を備え、高強度な集熱レシーバを提供することができる。
【００２２】
図１、図２（Ａ）、図２（Ｂ）に示すように、以下に説明する各実施形態の集熱レシーバ１０は、太陽光を用いた発電装置１に用いることができる。発電装置１は、中央に中央タワー２を有しする。中央タワー２の最も高い位置には、後述する集熱レシーバ１０が複数個収容されたレシーバアレイ３が配設されている。レシーバアレイ３の下には、順次、蒸気発生器４、蓄熱器５および蒸気タービン６が配設されている。
また、中央タワー２の周囲には、多数のヘリオスタット８が配置されている。ヘリオスタット８は、反射角度や鉛直方向を軸とした回転方向を自由に制御することが可能なように設定されている。ヘリオスタット８は、時事刻々と変化する太陽光を反射して、中央タワー２のレシーバアレイ３に集めるように自動的に制御されている。
【００２３】
図２（Ａ）および図２（Ｂ）に示すように、レシーバアレイ３では、太陽光照射面が開放された箱に複数の集熱レシーバ１０が、太陽光の照射を受ける受光面を正面に向けて整列した状態で配置されている。
集熱レシーバ１０では、太陽光により昇温した高温の空気を吸引し、蒸気タービン６を駆動した後、集熱レシーバ１０から戻され外部に返送される。
【００２４】
（第１実施形態）
次に、第１実施形態の集熱レシーバについて、図を用いながら説明する。
図３および図４に示すように、第１実施形態の集熱レシーバ１０Ａは、ヘリオスタット８から反射してきた太陽光ＳＢを吸収する受光面を有する吸収体２０Ａと、吸収体２０Ａを保持するハウジング３０Ａを有する。
ハウジング３０Ａは、吸収体２０Ａを収容する収容部３１と、収容部３１に連続して蒸気発生器４等に連通するパイプ３３、３４を有する。
【００２５】
ハウジング３０Ａの収容部３１には、吸収体２０Ａが、互いに空隙４４により隔てた複数のハニカム体２１により形成されている。吸収体２０Ａは、例えば、正方形の断面形状を有するハウジング３０Ａの収容部３１に、複数個のハニカム体２１を収容している。ここでは、例えば、縦５個×横５個の合計２５個のハニカム体２１が収容されている。
ハニカム体２１は、セラミックで形成されている。ハニカム体２１は、例えば、アルミナ、コージェライト、炭化硅素、チタン酸アルミニウムより選択される１または２以上の
セラミックより形成されているのが望ましい。
【００２６】
複数のハニカム体２１の間の空隙４４は、吸収体２０Ａの前方（図３において左方）に開放している。空隙４４は、ハウジング３０Ａの収容部３１の収容部空間４５に連続している。収容部空間４５は、パイプ３３とパイプ３３の外側に設けられているパイプ３４との間に設けられている第２の接続孔２７に連続している。
従って、第２の接続孔２７は、隔壁２８よりもハニカム体２１の側にある収容部空間４５および空隙４４を介して、吸収体２０Ｃの前方に開放している。
【００２７】
ハニカム体２１の外側端面２１１は、受光面となっている。ハニカム体２１の内側端面２１２側端部は、隔壁２８で支持されており、内側端面２１２は後方空間２６に開放している。後方空間２６は、第１の接続孔２５を介してパイプ３３に連続している。従って、パイプ３３は、後方空間２６およびハニカム体２１を介して、吸収体２０Ｃの前方に開放している。
これにより、第１の接続孔２５および第２の接続孔２７は、互いに逆方向の空気が流通することができる。
なお、ハニカム体２１の外側端面２１１側端部は、一定の間隔を保持していればよく、互いに係止されていなくても良い。
【００２８】
次に、集熱レシーバ１０Ａにおける空気の流れについて説明する。
図３に示すように、ヘリオスタット８からの太陽光ＳＢに照らされた空気は、ハニカム体２１の外側端面２１１から吸引され、内側端面２１２から吸収体２０Ａの後方空間２６に収容される。吸収体２０Ａの後方空間２６に収容された空気は、第１の接続孔２５を介してパイプ３３により蒸気発生器４等に送られて、発電に用いられる。
発電に使用された空気は、パイプ３４を通り、第２の接続孔２７から収容部空間４５に送られる。収容部空間４５に送られた空気は、ハニカム体２１の間の空隙４４から吸収体２０Ａの前方に返送される。なお、返送された空気の一部は、空隙４４に隣接するハニカム体２１の外側端面２１１から再度吸引される。
【００２９】
次に、第１実施形態の集熱レシーバ１０Ａの作用、効果について説明する。
本発明の集熱レシーバ１０Ａによれば、太陽光を吸収する吸収体２０Ａと、吸収体２０Ａを保持するハウジング３０Ａとからなるので、吸収体２０Ａにより吸収された熱を、ハウジング３０Ａ内に取り込んで外部に漏らさないようにすることができる。
ハウジング３０Ａには、第１の接続孔２５および第２の接続孔２７が設けられており、第１の接続孔２５および第２の接続孔２７は、互いに逆方向の空気が流通するようになっている。このため、一方の接続孔から昇温された空気を吸引して、他方の接続孔から使用後の空気を返送することができる。
【００３０】
また、吸収体２０Ａは、互いに空隙４４により隔てられた複数のハニカム体２１と、各ハニカム体２１における受光面としての外側端面２１１と、外側端面２１１とは反対側の内側端面２１２とを隔離する隔壁２８とを有する。そして、第１の接続孔２５から延びる流路は、ハニカム体２１を経由して外側端面２１１と連通し、第２の接続孔２７は、空隙４４を経由して受光面と連通する。
このため、受光して昇温した空気は外側端面２１１から吸引され、ハニカム体２１を通って内側端面２１２から隔壁２８の内側に送られる。また、使用後の空気は第２の接続孔２７から隣接するハニカム体２１の間の空隙４４に送られ、空隙４４を通って受光面から返送される。隔壁２８は、受光面側すなわち吸収体２０Ａの前方空間、すなわち収容部空間４５と、反対側すなわち吸収体２０Ａの後方空間２６とを隔てる。隔壁２８により隔てられるので、充分に冷え切っていない返送された空気は吸収体２０Ａの受光面を経由して充分に再加熱されてから発電機側へ吸引される。このため空気は充分に暖められることが
でき、熱効率を高めることができる。
また、吸収体２０Ａは、ハニカム体２１のみからなり、ハニカム体２１間の空隙４４を利用して受光面に充分に冷え切っていない空気を返送することができる。このため、特別の部材を利用することなく空気を返送する機能を有するハニカム体２１のみからなる吸収体２０Ａを構成することができるので、形状、材質などの制約を受けることなく集熱レシーバ１０Ａを構成することができる。
なお、空気の流れは一方向に限定されず、逆にハニカム体２１から充分に冷え切っていない空気を返送し、空隙４４から暖められた空気を吸引することも可能である。
これにより、集熱レシーバ１０Ａは、空気を返送する機能を有するとともに、ハニカム体２１の持つ耐熱性、強度を充分に発揮でき安定して利用することができる。
【００３１】
第１実施形態の集熱レシーバ１０Ａは、空隙４４と第２の接続孔２７とが、隔壁２８よりもハニカム体２１の側面すなわち隔壁２８と受光面との間を経由して連通している。空隙４４につながる収容部空間４５が、吸収体２０Ａの側方に引き出されるので、ハニカム体２１の側面の全面を利用することができ、空隙４４が狭くても効率良く受光面へ空気を返送することができる。
【００３２】
第１実施形態の集熱レシーバ１０Ａは、ハニカム体２１がセラミックからなるので、耐熱性、耐蝕性を備え、高強度である。このため、高温環境下あるいは腐食性環境下など過酷な環境下でも使用することができる。
【００３３】
第１実施形態の集熱レシーバ１０Ａは、アルミナ、コージェライト、炭化珪素、チタン酸アルミニウム等のセラミックからなるので、耐熱性、耐食性を備え、高強度な集熱レシーバ１０Ａを提供することができる。
【００３４】
（第２実施形態）
次に、第２実施形態の集熱レシーバについて、図を用いながら説明する。
なお、前述した第１実施形態の集熱レシーバ１０Ａと共通する部位には同じ符号を付して、重複する説明を省略することとする。
図５に示すように、第２実施形態の集熱レシーバ１０Ｂでは、吸収体２０Ｂを収容するハウジング３０Ｂの内部およびパイプ３３の内部に、パイプ３５を設けた。パイプ３５は、使用後の空気を送る。パイプ３５の先端（図５において左端）は、隔壁２８を貫通して、ハニカム体２１の間の空隙４４に連続している。
【００３５】
次に、集熱レシーバ１０Ｂにおける空気の流れについて説明する。
図５に示すように、ヘリオスタット８からの太陽光ＳＢに照らされた空気は、ハニカム体２１の外側端面２１１から吸引され、内側端面２１２から第２の後方空間２６に収容される。第２の後方空間２６に収容された空気は、第１の接続孔２５を介してパイプ３３により蒸気発生器４等に送られて、発電に用いられる。
発電に使用された空気は、パイプ３５を通り、第２の接続孔２７からハニカム体２１の間の空隙４４に送られて、受光面から前方に返送される。なお、返送された空気の一部は、空隙４４に隣接するハニカム体２１の外側端面２１１から再度吸引される。
【００３６】
このように構成しても、前述した第１実施形態の集熱レシーバ１０Ａと同様の作用、効果を得ることができる。
【００３７】
（第３実施形態）
次に、第３実施形態の集熱レシーバについて、図を用いながら説明する。
なお、前述した第１実施形態の集熱レシーバ１０Ａおよび第２実施形態の集熱レシーバ１０Ｂと共通する部位には同じ符号を付して、重複する説明を省略することとする。
図６に示すように、第３実施形態の集熱レシーバ１０Ｃでは、吸収体２０Ｃを収容するハウジング３０Ｃの収容部３１に、第１の接続孔２５に連通するパイプ３２を設けた。
【００３８】
次に、集熱レシーバ１０Ａにおける空気の流れについて説明する。
図６に示すように、ヘリオスタット８からの太陽光ＳＢに照らされた空気は、ハニカム体２１の外側端面２１１から吸引され、内側端面２１２から後方空間２６に収容される。後方空間２６に収容された空気は、第２の接続孔２７を介してパイプ３３により蒸気発生器４等に送られて、発電に用いられる。
発電に使用された空気は、パイプ３２を通り、第１の接続孔２５からハニカム体２１の間の空隙４４に送られて、受光面から前方に返送される。なお、返送された空気の一部は、空隙４４に隣接するハニカム体２１の外側端面２１１から再度吸引される。
【００３９】
このように構成しても、前述した第１実施形態の集熱レシーバ１０Ａと同様の作用、効果を得ることができる。
【００４０】
（第４実施形態）
次に、第４実施形態の集熱レシーバについて、図を用いながら説明する。
なお、前述した第１実施形態の集熱レシーバ１０Ａないし第３実施形態の集熱レシーバ１０Ｃと共通する部位には同じ符号を付して、重複する説明を省略することとする。
図７に示すように、第４実施形態の集熱レシーバ１０Ｄは、吸収体２０Ｄを有する。吸収体２０Ｄは、前述した第１実施形態で用いられたハウジング３０Ａに収容されている。吸収体２０Ｄは、正方形の断面形状の複数個のハニカム体２１（２２、２３）よりなる。複数個のハニカム体２１（２２、２３）のうち、ハニカム体２３は隔壁２８を貫通することなく第２の接続孔２７と連通している。従って、ハニカム体２２は、第１の接続孔２５と連通し、ハニカム体２２が第２の接続孔２７と連通している。第４実施形態において、ハニカム体２１（２２、２３）のうち、ハニカム体２２が過半数であることが好ましい。ハニカム体２１（２２、２３）間の空隙４４は第２の接続孔２７と連通しているので、第１の接続孔２５と連通するハニカム体２２をハニカム体２３よりも多くすることが好ましい。
【００４１】
隔壁２８を貫通するハニカム体２２および隔壁２８を貫通しないハニカム体２３は、互いに同一の材質であるセラミックで形成されている。
図７に示すように、第１の接続孔２５は、隔壁２８を貫通するハニカム体２２を経由して受光面と連通し、第２の接続孔２７は、空隙４４および隔壁２８を貫通しないハニカム体２３を経由して受光面と連通する。
【００４２】
次に、集熱レシーバ１０Ｄにおける空気の流れについて説明する。
図７に示すように、ヘリオスタット８からの太陽光ＳＢに照らされた空気は、隔壁２８を貫通するハニカム体２２の外側端面２２１から吸引され、隔壁２８を貫通して内側端面２２２から吸収体２０Ｄの後方空間２６に収容される。吸収体２０Ｄの後方空間２６に収容された空気は、第１の接続孔２５を介してパイプ３３により蒸気発生器４等に送られて、発電に用いられる。
発電に使用された空気は、パイプ３４を通り、第２の接続孔２７から収容部空間４５に送られる。収容部空間４５に送られた空気は、ハニカム体２２の側面を経由したのち、隔壁２８を貫通しないハニカム体２３の内側端面２３２から隔壁２８を貫通しないハニカム体２３を貫通し、外側端面２３１から外部に返送される。このとき、隔壁２８を貫通しないハニカム体２３を貫通することなくハニカム体２２、２３間の空隙４４から直接空気を返送するようにすることもできる。なお、返送された空気の一部は、隔壁２８を貫通するハニカム体２２の外側端面２２１から再度吸引される。
【００４３】
このように構成しても、前述した第１実施形態の集熱レシーバ１０Ａと同様の作用、効果を得ることができる。
なお、太陽光ＳＢに照らされた空気を隔壁２８を貫通しないハニカム体２３および空隙４４から吸引して、蒸気発生器４等に送り、使用後の空気を隔壁２８を貫通するハニカム体２２から返送することもできる。
【００４４】
本発明の集熱レシーバは、前述した各実施形態に限定されるものでなく、適宜な変形、改良等が可能である。
【産業上の利用可能性】
【００４５】
本発明の集熱レシーバは、太陽光を受けて熱に変換して発電する発電機等に用いることができる。
【符号の説明】
【００４６】
１０Ａ、１０Ｂ、１０Ｃ、１０Ｄ  集熱レシーバ
２０Ａ、２０Ｂ、２０Ｃ、２０Ｄ  吸収体
２１、２２、２３  ハニカム体
２１１  外側端面（受光面）
２１２  内側端面
２５  第１の接続孔
２７  第２の接続孔
２８  隔壁
３０Ａ、３０Ｂ、３０Ｃ、３０Ｄ  ハウジング
４４  空隙
【図１】
2016011810.tif 000003
【図２】
2016011810.tif 000004
【図３】
2016011810.tif 000005
【図４】
2016011810.tif 000006
【図５】
2016011810.tif 000007
【図６】
2016011810.tif 000008
【図７】
2016011810.tif 000009
【図８】
2016011810.tif 000010